(57)【要約】【課題】  保冷剤を長期間にわたって保冷能力を保持したまま保管することができる保冷剤格納バッグ提供する。【解決手段】  底面１２０及び蓋体１３０と、断熱層（図示省略）が設けられた周壁１１０と、前記底面１２０の上に載置される断熱層を有する下側内蓋１５０と、この下側内蓋１５０の上に格納した保冷剤５００の上に載置される断熱層を有する上側内蓋１４０とを備えている。底部１２０の上に載置された下側内蓋１５０の上に横にした状態で積層されて格納された保冷剤５００の最上部と、前記蓋体１３０との間には上側内蓋１４０が載置されるだけのスペースが確保されている。【選択図】      図１
2011057226.tif 000002
【特許請求の範囲】
【請求項１】
底面及び蓋体と、断熱層が設けられた周壁と、前記底面の上に載置される断熱層を有する下側内蓋と、この下側内蓋の上に格納した保冷剤の上に載置される断熱層を有する上側内蓋とを具備したことを特徴とする保冷剤格納バッグ。
【請求項２】
請求項１記載の保冷剤格納バッグにおいて、内側の各部の寸法は、格納すべき保冷剤の外寸法に対応して設定されており、前記底面の上に載置した下側内蓋の上に積層又は並べて格納された複数の保冷剤の最上部と、前記蓋体との間には上側内蓋が載置されるだけのスペースが確保されていることを特徴とする保冷剤格納バッグ。
【請求項３】
断熱層が設けられた周壁、底面及び蓋体と、格納した保冷剤の上に載置される断熱層を有する上側内蓋とを具備したことを特徴とする保冷剤格納バッグ。
【請求項４】
請求項１記載の保冷剤格納バッグにおいて、内側の各部の寸法は、格納すべき保冷剤の外寸法に対応して設定されており、積層又は並べて格納された複数の保冷剤の最上部と、前記蓋体との間には上側内蓋が載置されるだけのスペースが確保されていることを特徴とする保冷剤格納バッグ。
【請求項５】
請求項１乃至４記載のいずれかの保冷剤格納バッグと、この保冷剤格納バッグを収納しても収納スペースが余る断熱性を有する外側バッグとを具備していることを特徴とする保冷バッグ。
【請求項６】
請求項５記載の保冷バッグにおいて、外側バッグと保冷剤格納バッグとの間には、外側バッグに収納された保冷剤格納バッグを固定する固定手段が設けられていることを特徴とする保冷バッグ。
【発明の詳細な説明】
【技術分野】
【０００１】
本発明は、保冷剤を格納する保冷剤格納バッグと、この保冷剤格納バッグを有する保冷バッグとに関する。
【背景技術】
【０００２】
保冷バッグは、生鮮食料品の屋外での保管や輸送等で多種のものが用いられている。その一つとして、特開平１１−７９２６１号公報（特許文献１）に記載されたものがある。この保冷バッグは、バック内部の温度調整を容易にし、またバッグ本体内を冷蔵又は冷凍室と保冷室とに分けられるようにしたものである。
【０００３】
【特許文献１】特開平１１−７９２６１号
【発明の開示】
【発明が解決しようとする課題】
【０００４】
しかしながら、近年のアウトドアブームの隆盛により、１週間程度の長期間の屋外生活を楽しむ人々も増えてきている。
従来の通常の保冷バッグでは、１〜１．５日程度で保冷剤が使用不能になってしまうため、生鮮食料品の長期間の保管が困難であり、長期間の屋外生活では保管の容易なレトルト食品やインスタント食品を食せざるをえないことが多い。
【０００５】
本発明は、上記事情に鑑みて創案されたもので、保冷剤を長期間にわたって保冷能力を保持したまま保管することができる保冷剤格納バッグと、より保冷剤の保冷能力を保持したまま保管することができ、温度の異なる２つの収納スペースを持った保冷バッグを提供することを目的としている。
【課題を解決するための手段】
【０００６】
本発明に係る保冷剤格納バッグは、底面及び蓋体と、断熱層が設けられた周壁と、前記底面の上に載置される断熱層を有する下側内蓋と、この下側内蓋の上に格納した保冷剤の上に載置される断熱層を有する上側内蓋とを備えている。
【０００７】
前記保冷剤格納バッグであって、内側の各部の寸法は、格納すべき保冷剤の外寸法に対応して設定されており、前記底面の上に載置した下側内蓋の上に積層又は並べて格納された複数の保冷剤の最上部と、前記蓋体との間には上側内蓋が載置されるだけのスペースが確保されている。
【０００８】
本発明に係る他の保冷剤格納バッグは、断熱層が設けられた周壁、底面及び蓋体と、格納した保冷剤の上に載置される断熱層を有する上側内蓋とを備えている。
【０００９】
前記保冷剤格納バッグであって、内側の各部の寸法は、格納すべき保冷剤の外寸法に対応して設定されており、積層又は並べて格納された複数の保冷剤の最上部と、前記蓋体との間には上側内蓋が載置されるだけのスペースが確保されている。
【００１０】
前記保冷剤格納バッグと、この保冷剤格納バッグを収納しても収納スペースが余る断熱性を有する外側バッグとを備えている。
【００１１】
前記保冷バッグであって、外側バッグと保冷剤格納バッグとの間には、外側バッグに収納された保冷剤格納バッグを固定する固定手段が設けられている。
【発明の効果】
【００１２】
本発明に係る保冷剤格納バッグは、底面及び蓋体と、断熱層が設けられた周壁と、前記底面の上に載置される断熱層を有する下側内蓋と、この下側内蓋の上に格納した保冷剤の上に載置される断熱層を有する上側内蓋とを備えているので、下側内蓋及び上側内蓋がない場合より長期間にわたって保冷能力を保持したまま保管できる。
【００１３】
また、本発明に係る保冷剤格納バッグは、内側の各部の寸法は、格納すべき保冷剤の外寸法に対応して設定されており、前記底面の上に載置した下側内蓋の上に積層又は並べて格納された複数の保冷剤の最上部と、前記蓋体との間には上側内蓋が載置されるだけのスペースが確保されているので、格納可能最大個数の保冷剤を格納したとしても、最上部の保冷剤に確実に上側内蓋を載置することができる。
【００１４】
また、本発明に係る他の保冷剤格納バッグは、断熱層が設けられた周壁、底面及び蓋体と、格納した保冷剤の上に載置される断熱層を有する上側内蓋とを備えているので、上側内蓋がない場合より長期間にわたって保冷能力を保持したまま保管できる。
【００１５】
また、本発明に係る保冷剤格納バッグは、内側の各部の寸法は、格納すべき保冷剤の外寸法に対応して設定されており、積層又は並べて格納された複数の保冷剤の最上部と、前記蓋体との間には上側内蓋が載置されるだけのスペースが確保されているので、格納可能最大個数の保冷剤を格納したとしても、最上部の保冷剤に確実に上側内蓋を載置することができる。
【００１６】
一方、本発明に係る保冷バッグは、前記保冷剤格納バッグと、この保冷剤格納バッグを収納しても収納スペースが余る断熱性を有する外側バッグとを有しているので、保冷剤格納バッグ単体の場合より、保冷剤をより長期間にわたって保冷能力を保持したまま保管できるようにすることができる。
【００１７】
また、この保冷バッグは、外側バッグと保冷剤格納バッグとの間に、外側バッグに収納された保冷剤格納バッグを固定する固定手段が設けられているので、保冷剤格納バッグは移動しないから、外側バッグの余った収納スペースに潰れやすいもの、例えば、卵やケース、果物等を収納しても、保冷剤格納バッグによって潰されるおそれを格段に少なくすることができる。
【図面の簡単な説明】
【００１８】
【図１】本発明の第１の実施の形態に係る保冷剤格納バッグの概略的一部破断分解斜視図である。
【図２】本発明の第１の実施の形態に係る保冷剤格納バッグに保冷剤を横に積層して格納した状態を示す概略的断面図である。
【図３】本発明の第１の実施の形態に係る保冷剤格納バッグに保冷剤を縦にして横に並べて格納した状態を示す概略的断面図である。
【図４】本発明の実施の形態に係る保冷バッグの概略的断面である。
【発明を実施するための形態】
【００１９】
本発明の第１の実施の形態に係る保冷剤格納バッグ１００は、図１や図２に示すように、底面１２０及び蓋体１３０と、断熱層（図示省略）が設けられた周壁１１０と、前記底面１２０の上に載置される断熱層を有する下側内蓋１５０と、この下側内蓋１５０の上に格納した保冷剤５００の上に載置される断熱層を有する上側内蓋１４０とを備えている。
【００２０】
まず、この保冷剤格納バッグ１００に格納される保冷剤５００は、例えば、幅寸法×奥行き寸法×厚さ寸法が、１６．４ｃｍ×２５．５ｃｍ×２．５ｃｍの薄い直方体状に形成されている。この保冷剤５００は、外殻はポリエチレンで、内部に植物性の天然高分子材が充填されている。なお、この種の保冷剤５００としては、出願人の商品である『氷点下パック』（登録商標）等がある。
【００２１】
かかる保冷剤５００が格納される保冷剤格納バッグ１００は、外形が略直方体状であって、４つの周壁１１０と、この周壁１１０を底でつなぐ底面１２０と、前記周壁１１０の１つに連結され、他の３つの周壁１１０とはスライドファスナー（図示省略）で開閉可能に連結される蓋体１３０とを有している。前記周壁１１０の内部には例えば、アルミニウムシートやポリスチレン等からなる断熱層が形成されている。なお、この保冷剤格納バッグ１００には持ち運びのための着脱可能な肩掛けベルト（図示省略）を有している。
【００２２】
かかる保冷剤格納バッグ１００には、上側内蓋１４０及び下側内蓋１５０が別途設けられている。このうち、下側内蓋１５０は底面１２０の上に載置されるものであって、前記保冷剤５００の幅寸法×奥行き寸法とほぼ同一の寸法に設定されている。この下側内蓋１５０には、アルミニウムシートやポリスチレン等からなる断熱層が設けられている。
【００２３】
また、前記上側内蓋１４０は、格納した保冷剤５００の上に載置されるものであって、前記保冷剤５００の幅寸法×奥行き寸法とほぼ同一の寸法に設定されている。この上側内蓋１４０には、アルミニウムシートやポリスチレン等からなる断熱層が設けられている。
【００２４】
すなわち、保冷剤格納バッグ１００に格納された保冷剤５００は、上側内蓋１４０と下側内蓋１５０とでサンドイッチのように挟み込まれるのである。
【００２５】
また、この保冷剤格納バッグ１００の内側の幅寸法及び奥行き寸法は、格納すべき保冷剤５００の幅寸法、奥行き寸法に対応して設定されている。例えば、保冷剤５００を横に積層して格納するタイプの場合の保冷剤格納バッグ１００の深さ寸法は、保冷剤５００の厚さ寸法×格納できる保冷剤５００の数＋上側内蓋１４０＋下側内蓋１５０の厚さ寸法となっている。
すなわち、上述した保冷剤５００を最大１０個格納する保冷剤格納バッグ１００であり、かつ上側内蓋１４０、下側内蓋１５０の厚さ寸法がそれぞれ３．０ｃｍである場合には、この保冷剤格納バッグ１００の深さ寸法は、２．５ｃｍ×１０＋３．０ｃｍ＋３．０ｃｍ＝３１．０ｃｍとなるのである。
すなわち、下側内蓋１５０の上に積層されて格納された複数（１０個）の保冷剤５００の最上部と、前記蓋体１３０との間には上側内蓋１４０が載置されるだけのスペース（３．０ｃｍ）が確保されていることになる。
【００２６】
かかる保冷剤格納バッグ１００であると、１０個に満たない保冷剤５００を格納しても、最上部に位置する保冷剤５００と蓋体１３０との間には必ず内蓋１４０が存在するため、格納した保冷剤５００を内蓋１４０がない場合より長期間にわたって保冷剤５００の保冷能力を保持したまま保管できる。しかも、下側内蓋１５０が最下部に位置する保冷剤５００の下に存在するため、より確実に長期間にわたって保冷剤５００の保冷能力を保持したまま保管できる。
【００２７】
上述した保冷剤格納バッグ１００では、保冷剤５００を横にして積層して格納するタイプを挙げたが、図３に示すように、あたかも本を本箱に並べるように、保冷剤５００を縦にして横方向に並べるようにして格納するタイプも考えられる。
【００２８】
かかるタイプの場合は、保冷剤５００を最大格納個数だけ格納した場合には横方向にはスペースは余らないが、最大格納個数より少ない個数の保冷剤５００を格納した場合には、横側にスペースが余る。この場合には、余ったスペースに内蓋１４０と同様のものを詰めるとよい。
【００２９】
また、この余ったスペースを冷凍室として機能させる場合には、格納した保冷剤５００が不用意に動かないようにするため、例えばブックエンド状のストッパを設けることが望ましい。また、ブックエンド状のストッパのような別体部品を用いるのではなく、保冷剤格納バッグ１００の内側に保冷剤５００の厚さ寸法に応じた凹凸を設けておき、この凹凸で保冷剤５００を動かないように固定するという手法もある。
【００３０】
また、この保冷剤格納バッグ１００は、一般的なソフト型の保冷バッグにあるようなスライドファスナーでの蓋体１３０の開け閉めするようなものとしたが、他の手段、例えば、一般的なハード型の保冷バッグにあるようなロック片により開け閉めされるような構造にしてもよい。さらに、食品保管用容器にみられるような凹溝及びそれに挿入される凸脈であってもよい。
【００３１】
本発明の第２の実施の形態に係る保冷剤格納バッグ（図示省略）は、上述した第１の実施の形態に係る保冷剤格納バッグ１００のような独立した下側内蓋１５０が存在しない。しかし、底面１２０にアルミニウムシートやポリスチレン等からなる断熱層が設けられていたり、下側内蓋１５０に相当するものが、底面１２０の上に積層固定されていたりする。
【００３２】
上述した保冷剤格納バッグ１００を有する保冷バッグ３００は、図４に示すように、前記保冷剤格納バッグ１００と、この保冷剤格納バッグ１００を収納しても収納スペース２５０が余る断熱性を有する外側バッグ２００とを有している。
【００３３】
この保冷バッグ３００は、保冷剤５００をより長期間にわたって保冷能力を保持したまま保管できるようにするという第１の機能と、保冷剤格納バッグ１００をより低温の保管室（例えば、冷凍室）として使用するとともに、保冷剤格納バッグ１００の内部より低温ではない保管室（例えば、冷蔵室）として使用するという第２の機能とを合わせ持ったものである。
【００３４】
前記外側バッグ２００も、保冷剤格納バッグ１００と同様に、外形が略直方体状であって、４つの周壁２１０と、この周壁２１０を底でつなぐ底面２２０と、前記周壁２１０の１つに連結され、他の３つの周壁２１０とはスライドファスナー（図示省略）で開閉可能に連結される蓋体２３０とを有している。前記周壁２１０、底面２２０及び蓋体２３０には、例えば、アルミニウムシートやポリスチレン等からなる断熱層が設けられている。なお、この外側バッグ２００には持ち運びのための着脱可能な肩掛けベルト（図示省略）を有している。
【００３５】
ただし、この外側バッグ２００の内部の収納スペース２５０は、保冷剤格納バッグ１００より大きく設定されていなければならない。すなわち、収納スペース２５０に保冷剤格納バッグ２５０を収納しても、収納スペース２５０が余るようになっているのである。この余った収納スペース２５０は、保冷剤格納バッグ１００の内部より低温ではない保管室（例えば、冷蔵室）として使用されるのである。
【００３６】
この外側バッグ２００の収納スペース２５０に保冷剤格納バッグ１００と保冷剤５００とを収納すると、保冷剤格納バッグ１００の内部はより低温になる。このため、前記第１の機能、すなわち保冷剤格納バッグ１００単体の場合より、保冷剤５００をより長期間にわたって保冷能力を保持したまま保管できるようにするという機能を発揮させることができるのである。
【００３７】
また、保冷剤格納バッグ１００に格納可能な保冷剤５００の個数より少ない個数の保冷剤５００を格納している場合、例えば、最大１０個の保冷剤５００を格納可能な保冷剤格納バッグ１００で格納する保冷剤５００が９個以下であると、スペースが余るため、この余ったスペースを冷凍室として使用するのである。すなわち、保冷剤格納バッグ１００をより低温の保管室（例えば、冷凍室）として使用するとともに、保冷剤格納バッグ１００の内部より低温ではない保管室（例えば、冷蔵室）として使用するという第２の機能を発揮させることができるのである。
【００３８】
すなわち、この保冷バッグ３００であると、保冷剤格納バッグ１００の内部と、外側バッグ２００の内部という温度の異なった２つの収納スペースを確保することができるのである。
【００３９】
また、この保冷バッグ３００を構成する外側バッグ２００と保冷剤格納バッグ１００との間には、外側バッグ２００に収納された保冷剤格納バッグ１００を固定する固定手段４００が設けられている。
この固定手段４００としては、例えば、面ファスナーがある。面ファスナーの一方を保冷剤格納バッグ１００の周壁１１０の外側に取り付け、面ファスナーの他方を外側バッグ２００の、周壁２１０の内側に取り付けておき、両者を連結すると、保冷剤格納バッグ１００は外側バッグ２００の内部で固定される。
【００４０】
このように、保冷剤格納バッグ１００が外側バッグ２００の内部で固定されると、保冷剤格納バッグ１００は動かないから、外側バッグの余った収納スペース２５０に潰れやすいもの、例えば、卵やケース、果物等を収納しても、保冷剤格納バッグ１００によって潰されるおそれを格段に少なくすることができる。
【００４１】
前記固定手段４００としては、面ファスナーの他に磁石とこれに吸着される磁性体も考えられる。保冷剤格納バッグ１００に磁石を、外側バッグ２００に鉄板等の磁性体を内蔵させるのである。また、保冷剤格納バッグ１００の外面に固定手段として吸盤を設けることも考えられる。
【００４２】
なお、前記外側バッグ２００の周壁２１０や底面部２２０、蓋体２３０の外側面には、衝撃吸収のための低反発性クッション材等を設けておくとよい。
【符号の説明】
【００４３】
１００    保冷剤格納バッグ
１１０    周壁
１２０    底面
１３０    蓋体
１４０    内蓋
２００    外側バッグ
３００    保冷バッグ
５００    保冷剤
【図１】
2011057226.tif 000003
【図２】
2011057226.tif 000004
【図３】
2011057226.tif 000005
【図４】
2011057226.tif 000006